(57)【要約】【課題】  ＯＣＴ装置で高い深さ分解能と高速な画像取得を両立することは困難だった。【解決手段】  掃引帯域の異なる波長掃引光源を複数持ち、波長分割して同時掃引し、複数の波長掃引光源の出力光を時分割で切り替えて測定対象に照射し、信号取得する。【選択図】  図１
2014016181.tif 000002
【特許請求の範囲】
【請求項１】
周期的に光の発振波長が変化し中心波長が互いに相違する複数の波長掃引光源を備えた光源部と、
前記光源部より射出された光を検体への照射光と、参照光に分岐すると共に、前記検体からの反射光と、前記参照光と、の干渉光を発生させる干渉光学系と、
前記干渉光を検出する光検出部と、該光検出部で検出された干渉信号の強度に基づいて、前記検体の断層画像を得る演算処理部と、を備えた光干渉断層画像撮像装置であって、
前記複数の波長掃引光源を同時に波長掃引するための制御ユニットと、前記複数の光源より射出される光を切り替えて出力する光スイッチユニットと、を有し、前記光スイッチユニットにより前記複数の光源より射出される光を順次切り替えて得られる、前記複数の光源を構成する第一の光源の光出力に基づく第一の干渉信号と、前記複数の光源を構成する第二の光源の光出力に基づく第二の干渉信号と、を接続して得られる前記干渉信号の前記強度に基づいて前記断層画像を得ることを特徴とする光干渉断層画像撮像装置。
【請求項２】
前記光スイッチユニットによる前記複数の光源より射出される光の切り替えをサンプリング周波数に対応して行うことを特徴とする請求項１に記載の光干渉断層画像撮像装置。
【請求項３】
前記光検出部に接続されたＡＤ変換装置を備えることを特徴とする請求項１または２に記載の光干渉断層画像撮像装置。
【請求項４】
前記ＡＤ変換装置と前記光スイッチユニットとが同期して動作することを特徴とする請求項３に記載の光干渉断層画像撮像装置。
【請求項５】
前記光検出器は、最大データサンプリング周波数の２倍以上の周波数まで応答可能なものであることを特徴とする請求項１乃至４のいずれかに記載の光干渉断層画像撮像装置。
【請求項６】
前記第一の干渉信号と、前記第二の干渉信号と、の接続を波数を基準として行うための波数検出部を備えることを特徴とする請求項１乃至５のいずれかに記載の光干渉断層画像撮像装置。
【請求項７】
前記干渉光学系は、マイケルソン干渉計を用いてなることを特徴とする請求項１乃至６のいずれかに記載の光干渉断層画像撮像装置。
【請求項８】
前記波長掃引光源は、波長選択機構として回転体を備えたものであることを特徴とする請求項１乃至７の何れかに記載の光干渉断層画像撮像装置。
【請求項９】
前記回転体はポリゴンミラーであることを特徴とする請求項８に記載の光干渉断層画像撮像装置。
【請求項１０】
前記波長掃引光源は、面発光レーザーの共振器長をミラーの位置を変位させて変化させる形態の光源であることを特徴とする請求項１乃至８に記載の光干渉断層画像撮像装置。
【請求項１１】
前記波長掃引光源は、ファブリペローフィルターを用いたものであることを特徴とする請求項１乃至８に記載の光干渉断層画像撮像装置。
【発明の詳細な説明】
【技術分野】
【０００１】
本発明は、光干渉断層画像撮像装置に関する。
【背景技術】
【０００２】
光源、特にレーザー光源については、発振波長を可変とするものが通信ネットワーク分野や検査装置の分野で種々利用されてきている。
【０００３】
通信ネットワーク分野では、高速な波長切替、また、検査装置の分野では高速で広範な波長掃引が、要望されている。
【０００４】
検査装置における波長可変（掃引）光源の用途として、レーザー分光器、分散測定器、膜厚測定器、波長掃引型光トモグラフィー（Ｓｗｅｐｔ  ＳｏｕｒｃｅＯｐｔｉｃａｌ  Ｃｏｈｅｒｅｎｃｅ  Ｔｏｍｏｇｒａｐｈｙ、以下、これをＳＳ−ＯＣＴと記す。）装置がある。
【０００５】
ＳＳ−ＯＣＴは、低コヒーレンス光干渉を用いて検体の断層像を撮像するものである。ミクロンオーダーの空間分解能が得られることや無侵襲性等の理由から医用分野における研究が近年、盛んになってきている撮像技術である。
【０００６】
現在、ＯＣＴは、深さ方向の解像度を数ミクロンとし、且つ数ｍｍの深さまで断層像を得ることができ、眼科撮影、歯科撮影等に用いられている。
【０００７】
中でも、ＳＳ−ＯＣＴは、光源の発振波長（周波数）を時間的に掃引するもので、フーリエ領域（ＦＤ）ＯＣＴの範疇に入る。
【０００８】
同じくＦＤＯＣＴの範疇に入るスペクトル領域（スペクトルドメイン：ＳＤ）ＯＣＴが干渉光を分光する分光器を必用とするのに対し、このＳＳ−ＯＣＴでは分光器を用いないことから、光量のロスが少なく高ＳＮ比の像取得も期待されている。
【０００９】
上記ＳＳ−ＯＣＴ技術を適用した医用画像撮像装置を構成する場合には、掃引速度が速いほど画像取得時間を短縮でき、また、波長掃引幅が広いほど断層像の深さ空間解像度を高めることが可能なためこれらのパラメータは重要である。
【００１０】
具体的には波長掃引幅Δλ、発振波長λ０、検体の屈折率をｎとするとき、深さ分解能δＬは、以下の（式１）で表される。
δＬ＝２ｌｎ２／π×λｏ２／ｎΔλ      （式１）
したがって、深さ分解能を高めるためには波長掃引幅の拡大が必要であり、広帯域な波長掃引光源が求められている。
【００１１】
一方、ＳＳ−ＯＣＴ装置（光干渉断層画像撮像装置）においては検体の奥深い構造まで検出できること、すなわち長い可干渉距離を実現できることが望まれる。このため、ＳＳ−ＯＣＴ装置の光源の性能としては、発振スペクトル線幅がより狭いほうが望ましい。
【００１２】
具体的には発振スペクトル線幅δλ、発振波長λ０、検体の屈折率をｎとするとき、可干渉距離（コヒーレンス長）Ｌは、以下の（式２）で表わされる。
Ｌ＝λｏ２／ｎδλ      （式２）
したがって、検体の奥行き方向の測定範囲を広げるためには発振スペクトル線幅の狭小化が必要であり、狭い線幅の波長掃引光源が求められている。
【００１３】
こうした中、早い波長掃引速度と長い可干渉距離を保ったまま波長掃引幅を広げて深さ分解能を高めた光干渉断層画像撮像装置として、複数の光源を同時に波長掃引して断層画像を撮影する装置が特許文献１に開示されている。特許文献１で開示されたＯＣＴ装置は、複数の光源と複数の干渉計を備えたものである。
【００１４】
図８に特許文献１に記載のＯＣＴ装置を示す。図８のＯＣＴ装置は、同時に波長走査が可能であり且つ波数走査範囲の異なる波長掃引光源８０１、８０２と、波長掃引光源の夫々の出力光を測定光と参照光に分割するカプラ８０５、８０７とを備えている。
【００１５】
そして、夫々の前記測定光を合波して一つの測定光とするカプラ８１３と、前記一つの測定光を測定対象に照射すると共に、前記一つの測定光が前記測定対象によって反射又は後方散乱された信号光を捕捉する測定光照射系／信号光受光系８２３と、前記信号光を分割する前記カプラ８１３と、前記分割された信号光と夫々の前記参照光とを個々に合波するカプラ８０６、８０８とを備える。
【００１６】
更に、カプラ８０６、８０８によって合波された個々の出力光の強度を波長掃引光源８０１、８０２の波数毎に測定する差動増幅器８１１、８１２を備える。
【００１７】
そして、差動増幅器８１１，８１２によって波数毎に測定された個々の出力光の強度の集合から測定光が測定対象によって反射又は後方散乱された位置と反射又は後方散乱強度とを前記測定対象の奥行き方向に対して特定する演算制御装置８２２とを備えた構成となっている。
【００１８】
２つの波長掃引光源８０１、８０２を同時に波長掃引し、測定された出力光強度の集合を演算装置８２２で処理する事により、高速に高深さ分解能の断層画像を得る事が出来るとしている。
【先行技術文献】
【特許文献】
【００１９】
【特許文献１】特許第４６７７６３６号公報
【発明の概要】
【発明が解決しようとする課題】
【００２０】
波長掃引光源を用いて医用画像撮像装置を構成する場合には、波長掃引幅が広いほど深さ分解能が高まり好ましいことについては、［背景技術］のところで述べた。
【００２１】
しかし、波長掃引光源は単位時間当たりの波長掃引速度（ｎｍ／ｓ）を大きくするとコヒーレンシーが悪化するため、医用画像撮像装置に必要なコヒーレント長を保ったまま波長掃引速度を高速化することは非常に難しい。
【００２２】
特許文献１に開示されたＯＣＴ装置は、波長掃引幅を広げ高い深さ分解能を実現できるとしているが、発明者の検討によるとつぎのような課題を有していることが判明した。即ち、波長掃引型光干渉トモグラフィーを生体の断層画像取得に用いる場合、生体内部に照射された光はほとんどが拡散され、後方散乱光として干渉計に結合される率は−４０ｄＢ〜−５０ｄＢと非常に小さい。
【００２３】
しかし一方で、生体を観察する場合は観察対象の生体を損傷させることが無いよう、生体に照射する光出力が制限される。
【００２４】
眼科用途ではこの制限が特に厳しく、したがって、生体に照射した光を有効に断層画像取得に利用することが求められる。
【００２５】
しかし、特許文献１に開示されたＯＣＴ装置では、測定対象からの信号光をカプラー８１３で分割して干渉計に入れて干渉信号を取得しているため、信号光の利用効率が低い。
【００２６】
その結果断層画像のＳＮが悪化するという課題を有している。また、干渉計が複数必要なため、コストが高い、サイズが大きくなるという課題も有している。
【００２７】
本発明は、上記課題に鑑み、波長掃引幅を広くすることができると共に、生体に照射した光の利用効率を高め、深さ分解能が高くＳＮも良好な断層画像を取得する事が出来るＯＣＴ装置を提供することを目的とする。
【課題を解決するための手段】
【００２８】
本発明により提供される光干渉断層画像撮像装置は、周期的に光の発振波長が変化し中心波長が互いに相違する複数の波長掃引光源を備えた光源部と、
前記光源部より射出された光を検体への照射光と、参照光に分岐すると共に、前記検体からの反射光と、前記参照光と、の干渉光を発生させる干渉光学系と、
前記干渉光を検出する光検出部と、該光検出部で検出された干渉信号の強度に基づいて、前記検体の断層像を得る演算処理部と、を備えた光干渉断層撮像装置であって、
前記複数の波長掃引光源を同時に波長掃引するための制御ユニットと、前記複数の光源より射出される光を切り替えて出力する光スイッチユニットと、を有し、前記光スイッチユニットにより前記複数の光源より射出される光を順次切り替えて得られる、前記複数の光源を構成する第一の光源の光出力に基づく第一の干渉信号と、前記複数の光源を構成する第二の光源の光出力に基づく第二の干渉信号と、を接続して得られる前記干渉信号の前記強度に基づいて前記断層像を得ることを特徴とする。
【発明の効果】
【００２９】
本発明のＯＣＴ装置によれば、深さ分解能が高く、且つＳＮの良好な光断層画像を得る事が出来る。さらに、先行技術に比して干渉計が一つで構成出来るため低コストで小型のＯＣＴ装置が実現できる。
【図面の簡単な説明】
【００３０】
【図１】本発明の光干渉断層画像撮像装置の一例を示す模式図
【図２】本発明に適用される波長掃引光源の波長掃引の時間変化と本発明に適用されるスイッチユニットによる光源の切り替えタイミングについて説明するための模式図
【図３】本発明における第一及び第二の波長掃引光源より射出される光を用いた干渉信号を示す模式図
【図４】本発明における複数の波長掃引光源より射出されて光に基づいて得られた干渉信号及びこれらを接続することを示す模式図
【図５】本発明の光干渉断層画像撮像装置の一例を示す模式図
【図６】本発明の光干渉断層画像撮像装置の一例を示す模式図
【図７】本発明に適用可能な波数検出装置を示す模式図
【図８】従来の光干渉断層画像撮像装置の一例を示す模式図
【発明を実施するための形態】
【００３１】
以下、図面を参照しながら本発明の光干渉断層画像撮像装置について説明する。図１は、本発明のＯＣＴ装置の一例を示す模式図である。図１において、１０１と１０２は波長掃引光源であり、それぞれ異なる波長掃引可能帯域を持ち、且つ、波長掃引可能帯域は重なりを持っている。
【００３２】
これら２つの波長掃引光源により複数の波長掃引光源を備えた光源部１００が構成されているが、波長掃引光源は２つに限られるものではなく、３つ以上とすることもできる。これらの波長掃引光源は、周期的に光の発振波長が変化し中心波長が互いに相違するものを用いることが好適である。
【００３３】
波長掃引光源１０１、１０２の出力は光スイッチユニット１０３の入力に接続されている。光スイッチユニット１０３の出力は光カプラー（光分岐器としても機能）１０４を通り、光カプラー（光分岐器としても機能）１０６で参照光学系１０７と測定光学系１０８に分配される。参照光学系１０７は、参照ミラー１５２やレンズ、光路を構成する光ファイバー等で構成される。測定光学系１０８は、同じくレンズや光路を構成する光ファイバーの他、測定対象について光の走査を行う不図示のガルバノミラーで等で構成される。１５０は測定対象としての眼や歯等の検体である。
【００３４】
参照光学系１０７からの反射光と測定光学系１０８からの反射光または後方散乱光は再びカプラー１０６に入射し、干渉する。本願明細書においては、後方散乱光をも含めて、反射光として表記することとする。
【００３５】
図１において、１１３で示した部分が光源部より射出された光を検体への照射光と、参照光に分岐すると共に、前記検体からの反射光と、前記参照光と、の干渉光を発生させる干渉光学系に相当する。これは、オプティカル・コヒーレンス・トモグラフィ信号取得用干渉計でもある。
【００３６】
カプラー１０６で干渉した干渉光は、カプラー１０４とカプラー１０５に分配され、それぞれの出力光（干渉光）が光検出部である差動検出器１０９で差動検出される。
【００３７】
差動検出され、光の干渉信号から電気信号に変換された信号は、ＡＤ（アナログ・デジタル）変換器１１０でデジタル信号に変換される。
【００３８】
ここで、前記光スイッチユニット１０３とＡＤ変換器１１０は制御信号発生器１１２からの信号により同期して動作する。
【００３９】
前記デジタル信号を演算処理部である信号処理装置１１１でフーリエ変換および各種補正処理を行って断層画像を取得する。
【００４０】
つまり、カプラー１０６内で干渉した干渉光が、光検出部１０９で検出され、光検出部で検出された干渉信号の強度に基づいて、検体１５０の断層画像像が演算処理部１１１で取得され、表示部１２０に表示される。
【００４１】
ここで、複数の波長掃引光源１０１及び１０２は、制御信号発生器１１２と演算処理部１１１とを含んで構成される制御ユニットにより同時に波長掃引される。尚、光検出器は、最大データサンプリング周波数の２倍以上の周波数まで応答可能なものとするのが好適である。
【００４２】
次に、図２から図４を用いで本発明のＯＣＴ装置の動作を更に詳しく説明する。
【００４３】
波長掃引光源１０１を図２（ａ）に示すように時刻ｔ１からｔ２の間に波数ｋ１から波数ｋ２まで掃引する。
【００４４】
同時に、図２（ｂ）に示すように波長掃引光源１０２は時刻ｔ１からｔ２の間に波数ｋ２からｋ３まで掃引する。
【００４５】
この時、図２（ｃ）に示すように光スイッチユニット１０３で波長掃引光源１０１、１０２の出力を順次切り替える。
【００４６】
光スイッチ１０３の切り替え速度は、サンプリング周波数に対応して決めることが可能である。しかし、干渉信号をフーリエ変換して断層画像を得るために必要なデジタル信号を得るためにＡＤ変換器１１０でＡＤ変換するサンププリング周波数と等しくすることが好適である。
【００４７】
光スイッチ１０３の出力は図２（ｄ）に示すように、波長掃引光源１０１の出力光と波長掃引光源１０２の出力光が交互に断続した出力となる。これは、交互に読みだされた出力と捉えることもできる。
【００４８】
時刻ｔ２からｔ３の間は波長掃引光源が次の掃引の準備をするための時間であり、この間の光出力はどのようになっていてもかまわない。また、光スイッチユニット１０３で出力が遮断されている側の波長掃引光源は、例えば消費電力を低減する等の理由で、出力が遮断されている間光出力を停止またはパワーダウンすることも可能である。
【００４９】
波長掃引光源１０１、１０２の出力光が光スイッチ１０３によりスイッチングされ図２（ｄ）の様な出力光となってＯＣＴ信号取得用干渉計１１３に入射する。
【００５０】
図２（ｄ）に示した、ＯＣＴ信号取得用干渉計１１３に入射した光は、測定対象である検体の断層信号を含んだ干渉信号となって干渉計１１３から出力される。
【００５１】
図３（ａ）は波長掃引光源１０１を源とする断続光によって得られる干渉信号、図３（ｂ）は波長掃引光源１０２を源とする断続光によって得られる干渉信号を示す。即ち、図３（ａ）は、複数光源を構成する第一の光源の光出力に基づく第一の干渉信号を示しており、図３（ｂ）は、複数光源を構成する第二の光源の光出力に基づく第二の干渉信号を示している。
【００５２】
干渉計１１３から出力される干渉信号は、図３（ａ）と図３（ｂ）を加算した図３（ｃ）となる。この干渉信号を差動検出器１０９で差動検出し、ＡＤ変換器１１０でデジタル信号に変換する。
【００５３】
図３（ｃ）に示した差動検出器１０９で検出される信号をより拡大して模式的に示すと図４（ａ）となる。
【００５４】
図４（ａ）では、波長掃引光源１０１を源とする干渉信号を●印のプロット、波長掃引光源１０２を源とする干渉信号を◆印のプロットで示している。ＡＤ変換器１１０で◆印、●印、◆印、●印、・・・と時刻順に差動検出器１０９の出力電圧をサンプリングする。
【００５５】
こうしてデジタイズしたデータを波長掃引光源１０１由来のデータ、波長掃引光源１０２由来のデータに分けて並べ替える。
【００５６】
こうして波長掃引光源１０１由来の干渉信号（図４（ｂ））、波長掃引光源１０２由来の干渉信号（図４（ｃ））を取得できる。前記２つの干渉信号を波数が一致するところで接続して、図４（ｄ）に示す広帯域な干渉信号が得られる。即ち、第一の光源の光出力に基づく第一の干渉信号と、第二の光源の光出力に基づく第二の干渉信号と、を接続して広帯域な干渉信号を得る。ここで、干渉信号の接続は、波数を基準として接続される。
【００５７】
これら一連の信号処理は、演算処理部である信号処理装置１１１によって行う。
【００５８】
信号処理装置１１１は、得られた広帯域干渉信号を、必要に応じて波数線形化補正などの補正処理を行った後、逆フーリエ変換して断層情報に変換する。
【００５９】
このようにして、高速で且つ深さ分解能の高くＳＮの良好な断層情報が得られる。
【００６０】
ここでは、ＯＣＴ信号取得用干渉計としてマイケルソン干渉計を用いたが、フィゾー型干渉計、マッハツェンダー型干渉計等を用いることも可能である。また、信号検出は差動検出の例を示したがこれに限られるものではない。
【００６１】
本発明におけるスイッチユニットの例としては、光の経路を切り替える光路変換スイッチと単に光の透過をＯＮ／ＯＦＦ制御するゲートスイッチの両方を採用することができる。
【００６２】
光路変換スイッチとしては１×２光スイッチ、１×３光スイッチの他、１×２の分岐の導波路を多段に組み合わせた１×Ｎのスイッチングデバイス等が挙げられる。
【００６３】
光スイッチは動作の仕方で分類すると機械的に光路を切り替える機械型光スイッチ、電子的に切り替える電子型光スイッチ、光で光路を切り替える全光型光スイッチに分けられ、何れも採用することができるが、高速動作という観点からは、電子型光スイッチ、全光型光スイッチが好適である。
【００６４】
電子型光スイッチとしては、電気光学効果を利用したＬＮ光スイッチ、磁気光学効果を用いた磁気光学光スイッチ、音響光学効果を利用した音響光学変調器、をゲートとして用いるスイッチ等が挙げられるが、動作速度と高いオン／オフ比の観点から電気光学効果を利用したＬＮ光スイッチが好適である。
【００６５】
全光型光スイッチは、非線形光学効果を利用して光制御による超高速なスイッチングを可能とするものでピコ秒以下の制御が可能である。
【実施例】
【００６６】
以下、具体的な実施例を挙げて本発明を詳しく説明する。以降の説明では、図番が異なっていても同一の部位を示す部材については原則として同一の番号を付すこととし、なるべく重複した説明はしないこととする。
【００６７】
（実施例１）
図５は本実施例のＯＣＴ装置を示す模式図である。図５において、５０１、５０２はそれぞれ波長掃引波長範囲の異なる波長掃引光源である。
【００６８】
５０１として、波長選択機構として回転体を備えた光源であるポリゴンスキャナー方式（ポリゴンミラーを備えた）の波長掃引光源で、波長掃引波長が７９５ｎｍから８４５ｎｍ、波長掃引速度２５ｋＨｚの光源を用いた。
【００６９】
５０２としては、同じくポリゴンスキャナー方式の波長掃引光源で、波長掃引波長が８４０ｎｍから８８０ｎｍ、波長掃引速度２５ｋＨｚの光源を用いた。
【００７０】
光源５０１、５０２は光スイッチユニット１０３の入力ポートに接続する。光スイッチ１０３は２入力−１出力で切り替え速度１００ＭＨｚのものを用いた。
【００７１】
１０４、１０５は２入力−２出力、分岐比５０対５０の光カプラーである。１０６は入力−２出力、分岐比９０対１０の光カプラーで、参照側光学系１０７に多くの光量を分配するように接続してある。
【００７２】
１０７は参照側光学系、１０８は測定側光学系である。
【００７３】
光カプラー１０６、参照側光学系１０７、測定側光学系１０８でＯＣＴ信号取得用干渉計１１３を構成している。
【００７４】
１０９は干渉信号を差動検出するための差動検出器である。ここで、差動検出器１０９には異なる２系列の干渉信号が光スイッチユニット１０３の切り替え周波数で切り替わって交互に入力されるので、前記切り替え周波数より高い応答周波数をもつ必要がある。
【００７５】
正確に２系列の干渉信号を検出するためには、差動検出器１０９の高周波応答周波数は光スイッチ１０３の切り替え周波数の２倍以上あることが好ましい。
【００７６】
本実施例では、後述するように光スイッチユニット１０３を５１．２ＭＨｚで切り替えるので、差動検出器１０９はＤＣから２００ＭＨｚの応答帯域を持つものを使用した。
【００７７】
５１０、５１１はともにサンプリング速度５０ＭＨｚ、アナログ帯域ＤＣから５０ＭＨｚのＡＤ変換器であり、コントローラ５１２によりインターリーブ動作する。５１３は差動検出器１０９の出力信号をＡＤ変換器５１０、５１１に振り分ける切り替え器である。
【００７８】
つまり、５１０、５１１、５１２が一体となり、デジタルサンプリング速度１００ＭＨｚのＡＤ変換器として機能する。
【００７９】
ここで、インターリーブ動作とは、サンプリング速度５０ＭＨｚのＡＤ変換器５０１、５０２で交互にデータをサンプリングする事により１００ＭＨｚのＡＤ変換器として機能させる方式動作である。
【００８０】
コントローラ５１２はこの動作を制御する回路である。
【００８１】
本発明の装置では、異なる２系列の干渉信号を光スイッチ５０３の切り替えに同期して交互に差動検出器で検出する必要がある。
【００８２】
このため、１台のＡＤ変換器でＡＤ変換を行うと、２系列の干渉信号のクロストークを避けるためには、ＡＤ変換器が光スイッチ５０３の切り替え周波数より早い周波数まで応答する必要がある。
【００８３】
すなわち、広帯域なアナログ帯域を持つＡＤ変換器が必要となり、このようなＡＤ変換器は高価である。本実施例のように、２系列の干渉信号を系列ごとに専用のＡＤ変換器でＡＤ変換する構成にすると、前記系列間のクロストークは生じないため広帯域なアナログ帯域が不要となり、低コスト化に有利となる。
【００８４】
１１１は信号処理装置であり、ＡＤ変換されたデジタルデータ列を波数順に並べ替え、波数リニアに補正し、逆フーリエ変換して断層情報を算出する処理を行う。
【００８５】
５１４は光スイッチとＡＤ変換動作を同期して実行するためのクロック装置である。クロック装置５１４から５１．２ＭＨｚの切り替え信号を出力し、１掃引あたり２０４８点の干渉データを取得して断層像を得た。本実施例の装置により、高速、高深さ分解能、高ＳＮ、低コストなオプティカル・コヒーレンス・トモグラフィ装置が構成出来る。
【００８６】
（実施例２）
図６は本実施例のＯＣＴ装置を示す模式図である。本実施例のＯＣＴ装置は、実施例１のＯＣＴ装置に波数検出部として機能する波数検出装置６０１を追加した構成となっている。実施例１では、信号処理装置１１１でＡＤ変換されたデジタルデータ列を波数順に並べ替え、波数リニアに補正可能とするために、波長掃引光源５０１、５０２の波長掃引範囲を精密に制御していた。
【００８７】
しかし、波長掃引範囲を精密に制御することは困難である。そこで、本実施例の装置では、光源５０１を源とする干渉信号と光源５０２を源とする干渉信号を信号処理装置１１１で正確に接続するために、接続する波数が出力された時刻を検出するための波数検出装置６０１を設けた。
【００８８】
本実施例では、波数検出装置６０１として、ファブリペローエタロンを２個直列に配置し、バーニヤ効果で８４０ｎｍの波長を検出するように構成した装置を用いた。
【００８９】
波数検出装置６０１の構成を図７に示す。
【００９０】
図７において、７０１は光アイソレータ、７０２はコリメートレンズである。７０３、７０４はファブリペローエタロンを２個直列に配置することで７９０ｎｍから８９０ｎｍの波長範囲では８４０ｎｍのみに透過波長が存在するような組み合わせに構成されている。
【００９１】
７０５は光検出器で、光入力に８４０ｎｍの光が入力されると７０５から検出信号が出力される。信号処理装置１１１は、波数検出装置６０１からの検出信号を利用して、正確に波数順で波数リニアな広帯域干渉信号を再構成出来る。
【００９２】
本実施例の装置では、波長掃引光源の波長掃引範囲の変動が許容できるので、使用できる波長掃引光源の制約が少なくなり、様々な波長掃引光源を利用できる。
【００９３】
特に、面発光レーザーの共振器長をミラー位置を変位させて変化させる形態の波長掃引光源（ＭＥＭＳミラーを利用）や、ファブリペローフィルターを利用して波長掃引する波長掃引光源などに有効である。
【符号の説明】
【００９４】
１００  光源部
１０１、１０２  波長掃引光源
１０３  光スイッチユニット
１１３  干渉光学系
１０９  光検出部
１１０  ＡＤ変換装置
１１１  演算処理部
【図１】
2014016181.tif 000003
【図２】
2014016181.tif 000004
【図３】
2014016181.tif 000005
【図４】
2014016181.tif 000006
【図５】
2014016181.tif 000007
【図６】
2014016181.tif 000008
【図７】
2014016181.tif 000009
【図８】
2014016181.tif 000010